(57)【要約】      （修正有）【課題】剣道における踏み込み時に生ずる足の痛みや疲労を一層軽減するために衝撃吸収力を高めながら、踏み込んだ足でしっかりと自分の体を支えることができる高い安定性を担保することができる剣道用サポーターを提供する。【解決手段】剣道用サポーターであって、使用者の足首から中足部までの部位を覆う略筒状のサポーター本体１と、サポーター本体１の内部に使用者の踵骨の後部から足底の中足部に至る領域に相当する位置に収納されて装着されている衝撃吸収部材３から構成されており、衝撃吸収部材３の踵骨の下部に相当する位置には所定の窪みが形成されている。【選択図】図１
0003203463.tif 000002
【実用新案登録請求の範囲】
【請求項１】
使用者の足首から中足部までの部位を覆う略筒状のサポーター本体と、
前記サポーター本体の内部に使用者の踵骨の後部から足底の中足部に至る領域に相当する位置に収納されて装着されている衝撃吸収部材から構成されており、
前記衝撃吸収部材の踵骨の下部に相当する位置には所定の窪みが形成されていることを特徴とする剣道用サポーター。
【考案の詳細な説明】
【技術分野】
【０００１】
本考案は、剣道をする者の足等を保護するために使用される剣道用の用具に係り、特に踏み込み時の踵への衝撃を緩和する剣道用サポーターに関する。
【背景技術】
【０００２】
剣道では、左右の踵を浮かせた状態で構えをとり、身体の移動は摺り足で行われる。そして、構えの状態から竹刀を打ち込む際、片方の足を素早く前方に振り出して、竹刀の打突と同時に床をしっかりと踏み込む。この時、足の踵が床に当たって相当の衝撃を受ける。
バレーボールやバスケット等と共用する体育館等の堅い床だけでなく、剣道に適した堅さに造られている剣道専用の道場の床であっても、学校のクラブ活動などにおいて剣道の練習を行うと、堅い床への踏み込みによる衝撃が剣道を練習する者の関節に繰り返しかかり、医学上好ましくなく足の踵に障害が発生する場合もある。
【０００３】
こういった事情から、踵部の痛みや疲労を軽減させるために、今まで様々なものが提供されて来た。
例えば、剣道練習に於いて、踏み込み時に生ずる足の踵への衝撃を緩和させる剣道用足袋の提供を目的として、少なくとも足の踵を覆う踵部を有し、当該踵部を二重底に形成し、当該二重底の間に衝撃吸収部材を封入した構成の剣道用足袋が提供されている（特許文献１を参照）。
【先行技術文献】
【特許文献】
【０００４】
【特許文献１】実開平５−３５８０２号公報
【考案の概要】
【考案が解決しようとする課題】
【０００５】
しかし、特許文献１記載の剣道用足袋は踵部の二重底の間に衝撃吸収部材を封入することで踵への衝撃を和らげるものであり、衝撃による痛みをある程度軽減することはできるものの、特許文献１記載の衝撃吸収部材では衝撃吸収力が不十分であるという問題がある。また、一方で衝撃をより吸収しようとして衝撃吸収部材を踵の下に厚く装着すると、踏み込んだ足が安定せず、しっかりと自分の体を支えることができないという問題が発生する。
そこで、本考案の目的は、剣道における踏み込み時に生ずる足の痛みや疲労を一層軽減するために衝撃吸収力を高めながら、踏み込んだ足でしっかりと自分の体を支える高い安定性を担保することができる剣道用サポーターを提供することである。
【課題を解決するための手段】
【０００６】
上記の課題を解決するために、請求項１記載の考案は、剣道用サポーターであって、使用者の足首から中足部までの部位を覆う略筒状のサポーター本体と、前記サポーター本体の内部に使用者の踵骨の後部から足底の中足部に至る領域に相当する位置に収納されて装着されている衝撃吸収部材から構成されており、前記衝撃吸収部材の踵骨の下部に相当する位置には所定の窪みが形成されていることを特徴とする。
【考案の効果】
【０００７】
第１に、剣道における踏み込み時に生ずる踵への衝撃が、サポーター本体に収納された使用者の踵骨の後部から足底の中足部に至る領域に相当する位置に収納されて装着されている衝撃吸収部材によって大きく緩和されるため、足の痛みや疲労を一層軽減することができる。
第２に、衝撃吸収部材の踵骨の下部に相当する位置には所定の窪みが形成されているため、踏み込んだ最大荷重のときは床面からの高さが低くなり、窪みの縁が外側方向に広がって踏み込んだ足でしっかりと自分の体を支えることができる。
【図面の簡単な説明】
【０００８】
【図１】実施例１の剣道用サポーターの説明図である。
【図２】実施例１の窪み４の中央を通る衝撃吸収部材の縦断面図である。
【図３】実施例１の衝撃吸収部材の底面図である。
【考案を実施するための形態】
【０００９】
以下、図面を参照しながら、本考案の実施の形態について説明する。
【実施例１】
【００１０】
図１は、本実施例の剣道用サポーターの説明図である。
本実施例の剣道用サポーターの略筒状のサポーター本体１は、使用者の足首から足の中足部までの部位を覆うものであり、使用者の足の中足部よりも前の踏み付け部・足趾や、足首よりも上の脛の部分は覆わない。また、サポーター本体１は、綿、ウールなどの天然繊維や合成繊維を素材として筒状に形成されており、略中間の踵の部分で屈曲している。
そして、サポーター本体１の踵から足底の中足部に至る部分に衝撃吸収部材３を収納する袋部が形成されており、衝撃吸収部材３が使用者の踵骨の後部から足底の中足部に至る領域に相当する位置に収納されて装着されている。
また、止着具２がサポーター本体１の上部、即ち足首に相当する部分に巻き付くように設けられており、この止着具２の裏側が面ファスナーとなっていて、使用者の足首に密着するようにサポーター本体１の表面に止着される。
【００１１】
図２は本実施例の窪み４の中央を通る衝撃吸収部材３の縦断面図であり、図３は本実施例の衝撃吸収部材３の底面図である。
衝撃吸収部材３が使用者の踵骨の後部から足底の中足部に至る領域に相当する位置に収納されて装着されるので、本剣道用サポーターを使用することにより、足裏の踵部及び中足部に緩衝効果を与えることができ、踵の痛みや疲労を大きく緩和する。
また、衝撃吸収部材３は上部衝撃吸収部材３ａ及び下部衝撃吸収部材３ｂから構成されており、両者は接着剤を用いることにより接着されている。衝撃吸収部材３はアクリル樹脂もしくはウレタン樹脂などを発泡させてなる衝撃吸収性シートからなり、上部衝撃吸収部材３ａは衝撃吸収性シートで踵部を受けられるように略カップ状に加工したものである。
そして、下部衝撃吸収部材３ｂの踵骨の下部に相当する位置には所定の穴が形成されているため、衝撃吸収部材３全体としてみると踵骨の下部に相当する位置に窪み４が形成されることになる。この窪み４の形状は、図３に示すような略円形に限られるものではなく、様々な形状が採用可能であって、例えば略円形、四角形、星形、三角形などであっても良い。
下部衝撃吸収部材３ｂに所定の穴を形成した後に上部衝撃吸収部材３ａと接着することにより衝撃吸収部材３を製造することができるので、本実施例の剣道用サポーターを短い工数で容易に完成させることができ、低コストで製造することができる。
なお、本実施例において衝撃吸収部材３は、別々に作られた上部衝撃吸収部材３ａと下部衝撃吸収部材３ｂが接着されている構成となっているが、該構成が当初から一つとなって一体成形されたものであっても良い。
【００１２】
本実施例による効果について、説明する。
第１に、剣道における踏み込み時に生ずる踵への衝撃が、サポーター本体１に収納された使用者の踵骨の後部から足底の中足部に至る領域に相当する位置に収納されて装着されている衝撃吸収部材３によって大きく緩和されるため、足の痛みや疲労を一層軽減することができる。
第２に、衝撃吸収部材３の踵骨の下部に相当する位置には所定の窪み４が形成されているため、踏み込み時に窪み４の縁が外側方向に広がり、その最大荷重時には床面からの高さが低くなるので、踏み込んだ際に体を安定させて踏み込んだ足でしっかりと自分の体を支えることができる。
第３に、踏み込み時の最大加重になる前に、踵部を受けられるように略カップ状に加工された上部衝撃吸収部材３ａによって、予備的に衝撃を吸収することができる。
第４に、衝撃吸収部材３の厚みにより踏み込んだ際の最大荷重時の踵の位置が高くならないように、衝撃吸収部材３の踵骨の下部に相当する位置に所定の窪み４を形成したため、最大荷重時の床面と踵部の距離が少なくなり、重心が床面と近づくために体が不安定にならない。
第５に、衝撃吸収部材３の踵骨の下部に相当する位置に形成されている窪み４の縁が、すべての方向に対しての踵の安定性を増加させるという効果を生み出す。
【符号の説明】
【００１３】
１    サポーター本体
２    止着具
３    衝撃吸収部材
３ａ  上部衝撃吸収部材
３ｂ  下部衝撃吸収部材
４    窪み
【図１】
0003203463.tif 000003
【図２】
0003203463.tif 000004
【図３】
0003203463.tif 000005